(57)【要約】【課題】多糖ポリマーを配合した系において、透明で審美的に優れていながらも、貯蔵後も沈殿等が生じずに貯蔵安定性に優れ、更に柔軟性及び洗浄力に優れる衣料用液体洗浄剤組成物を提供する。【解決手段】  下記（ａ）成分を０．０５質量％以上１．０質量％以下、（ｂ）成分、（ｃ）成分及び水を含有する、衣料用液体洗浄剤組成物であって、（ｂ）成分と（ｃ）成分の合計含有量が１４質量％以上８０質量％以下であり、（ｂ）成分の含有量と（ｃ）成分の含有量との質量比（ｂ）／（ｃ）が０．２０以上６．０以下であり、（ａ）成分の含有量と水の含有量との質量比（ａ）／水が０．００４０以上０．０１５以下である、衣料用液体洗浄剤組成物。  （ａ）成分：ポリマー１ｇ当たりの水和水量が６ｇ以上である多糖ポリマー  （ｂ）成分：下記一般式（ｂ１）で表されるノニオン界面活性剤          Ｒ１ｂ−ＣＯＯ−（ＡＯ）ｍ−Ｒ２ｂ      （ｂ１）〔式中、Ｒ１ｂは炭素数９以上２１以下の脂肪族炭化水素基であり、ＡＯは、炭素数２及び炭素数３のアルキレンオキシ基から選ばれる１種以上の基であり、ｍはＡＯの平均付加モル数であり、５以上５０以下の数であり、Ｒ２ｂは、水素原子又は炭素数１以上３以下のアルキル基である。〕  （ｃ）成分：（ｂ）成分以外のノニオン界面活性剤及びアニオン界面活性剤から選ばれる１種以上の界面活性剤【選択図】なし【特許請求の範囲】
【請求項１】
下記（ａ）成分を０．０５質量％以上１．０質量％以下、（ｂ）成分、（ｃ）成分及び水を含有する、衣料用液体洗浄剤組成物であって、
（ｂ）成分と（ｃ）成分の合計含有量が１４質量％以上８０質量％以下であり、（ｂ）成分の含有量と（ｃ）成分の含有量との質量比（ｂ）／（ｃ）が０．２０以上６．０以下であり、（ａ）成分の含有量と水の含有量との質量比（ａ）／水が０．００４０以上０．０１５以下である、衣料用液体洗浄剤組成物。
（ａ）成分：ポリマー１ｇ当たりの水和水量が６ｇ以上である多糖ポリマー
（ｂ）成分：下記一般式（ｂ１）で表されるノニオン界面活性剤
Ｒ１ｂ−ＣＯＯ−（ＡＯ）ｍ−Ｒ２ｂ      （ｂ１）
〔式中、Ｒ１ｂは炭素数９以上２１以下の脂肪族炭化水素基であり、ＡＯは、炭素数２及び炭素数３のアルキレンオキシ基から選ばれる１種以上の基であり、ｍはＡＯの平均付加モル数であり、５以上５０以下の数であり、Ｒ２ｂは、水素原子又は炭素数１以上３以下のアルキル基である。〕
（ｃ）成分：（ｂ）成分以外のノニオン界面活性剤及びアニオン界面活性剤から選ばれる１種以上の界面活性剤
【請求項２】
（ａ）成分が、カチオン基を有する多糖ポリマーである、請求項１に記載の衣料用液体洗浄剤組成物。
【請求項３】
（ａ）成分のカチオン基を有する多糖ポリマーのカチオン基の置換度が、０．００１以上１以下である、請求項２に記載の衣料用液体洗浄剤組成物。
【発明の詳細な説明】
【技術分野】
【０００１】
本発明は、衣料用の液体洗浄剤組成物に関する。
【背景技術】
【０００２】
近年、消費者の価値観の多様化から、より汚れ落ちがよく、衣類が柔らかくなる等、多方面に高い仕上がり性を実現する洗浄剤製品が求められている。この要求に応え得る、多糖ポリマーを用いた様々な技術が開示されている。例えば、特許文献１には、高い汚れ落ちを実現する多糖ポリマーと活性剤を併用する技術が開示されている。特許文献２には、アニオン界面活性剤、カチオン化セルロース及び水不溶性シリコーンを含有する、繊維製品の洗浄性と柔軟性に優れた繊維製品用洗浄剤組成物が開示されている。また、エステル基を有するノニオン界面活性剤は液体洗浄剤組成物の洗浄成分として用いられている。例えば、特許文献３には、エステル基を有するノニオン界面活性剤を洗浄成分とする液体洗浄剤組成物が記載されている。
【先行技術文献】
【特許文献】
【０００３】
【特許文献１】特表２０１３−５０３９４８号公報
【特許文献２】特開２０１５−０７８３５１号公報
【特許文献３】特開２００９−１６１５９１号公報
【発明の概要】
【発明が解決しようとする課題】
【０００４】
本発明者は、多糖ポリマーが界面活性剤溶液中で溶解しにくいため、貯蔵により外観が変化する課題があることを見出した。また、多糖ポリマーを溶液構造化剤によって分散安定化させる技術があるが、その場合、多糖ポリマーが繊維製品に柔軟性能を付与しにくい溶存状態になっていることを本発明者は見出した。
【０００５】
本発明は上記事情に鑑みなされたものであり、多糖ポリマーを配合した系において、透明で審美的に優れていながらも、貯蔵後も沈殿等が生じずに貯蔵安定性に優れ、更に柔軟性及び洗浄力に優れる衣料用液体洗浄剤組成物を提供する。
【課題を解決するための手段】
【０００６】
本発明は、下記（ａ）成分を０．０５質量％以上１．０質量％以下、（ｂ）成分、（ｃ）成分及び水を含有する、衣料用液体洗浄剤組成物であって、
（ｂ）成分と（ｃ）成分の合計含有量が１４質量％以上８０質量％以下であり、（ｂ）成分の含有量と（ｃ）成分の含有量との質量比（ｂ）／（ｃ）が０．２０以上６．０以下であり、（ａ）成分の含有量と水の含有量との質量比（ａ）／水が０．００４０以上０．０１５以下である、衣料用液体洗浄剤組成物に関する。
（ａ）成分：ポリマー１ｇ当たりの水和水量が６ｇ以上である多糖ポリマー
（ｂ）成分：下記一般式（ｂ１）で表されるノニオン界面活性剤
Ｒ１ｂ−ＣＯＯ−（ＡＯ）ｍ−Ｒ２ｂ      （ｂ１）
〔式中、Ｒ１ｂは炭素数９以上２１以下の脂肪族炭化水素基であり、ＡＯは、炭素数２及び炭素数３のアルキレンオキシ基から選ばれる１種以上の基であり、ｍはＡＯの平均付加モル数であり、５以上５０以下の数であり、Ｒ２ｂは、水素原子又は炭素数１以上３以下のアルキル基である。〕
（ｃ）成分：（ｂ）成分以外のノニオン界面活性剤及びアニオン界面活性剤から選ばれる１種以上の界面活性剤
【発明の効果】
【０００７】
本発明によれば、多糖ポリマーを配合した系において、透明で審美的に優れていながらも、貯蔵後も沈殿等が生じずに貯蔵安定性に優れ、更に柔軟性及び洗浄力に優れる衣料用液体洗浄剤組成物が提供される。
【発明を実施するための形態】
【０００８】
本発明者は、上記目的を達成するため鋭意検討した結果、多糖ポリマーと特定の界面活性剤を併用する事で本発明をなすに至ったものである。一般に、多糖ポリマーは水中で水和する事で溶解する。一方、洗浄剤は、洗浄性を向上させる観点から一定量以上の界面活性剤を含有する必要がある。しかしながら、特に親水部としてオキシエチレン基を含有する界面活性剤は、オキシエチレン基が水和するため、多糖ポリマーと共に洗浄剤中に配合された場合、多糖ポリマーが水和する水を奪うために多糖ポリマーの溶解性を低下させてしまう。本発明者が鋭意検討の結果見出した特定の界面活性剤は、疎水基と親水基の間にエステル結合を有して折れ曲がり構造をとる事で、水和しにくく溶解性が低下傾向にある多糖ポリマーの凝集を抑性して溶解性を高める事が出来ると推定される。
【０００９】
［衣料用液体洗浄剤組成物］
＜（ａ）成分＞
本発明の（ａ）成分は、ポリマー１ｇ当たりの水和水量が６ｇ以上である多糖ポリマーである。（ａ）成分は、下記成分のポリマーの中で、ポリマー１ｇ当たりの水和水量が６．０ｇ以上である多糖ポリマーである。
【００１０】
本発明の課題を解決する観点で、ポリマー１ｇ当たりの水和水量は、６ｇ以上、好ましくは６．５ｇ以上、より好ましくは７．０ｇ以上、更に好ましくは８．０ｇ以上、そして、好ましくは５０ｇ以下、好ましくは４０ｇ以下、より好ましくは３０ｇ以下、更に好ましくは２０ｇ以下である。（ａ）成分のポリマーの水和水量は、実施例に記載の方法によって測定することができる。
【００１１】
本発明の（ａ）成分としては、ポリマー１ｇ当たりの水和水量が６ｇ以上であり、且つ炭素数１以上１８以下の炭化水素基及びカチオン基から選ばれる１種以上の基を有する多糖ポリマーの１種又は２種以上（以下、（ａ１）成分という。）が挙げられる。
【００１２】
〔（ａ１）成分〕
（ａ１）成分は、ポリマー１ｇ当たりの水和水量が６ｇ以上であり、且つ炭素数１以上１８以下の炭化水素基及びカチオン基から選ばれる１種以上の基を有する多糖ポリマーの１種又は２種以上である。
【００１３】
本発明の（ａ１）成分は、（ａ）成分の前駆化合物である多糖又はその誘導体の水酸基から水素原子を除いた基に、直接又は連結基を介してカチオン基及び炭素数１以上１８以下の炭化水素基から選ばれる１種以上の基が結合した多糖ポリマーであることを特徴とする。尚、前記の「多糖又はその誘導体の水酸基から水素原子を除いた基に、直接又は連結基を介してカチオン基及び炭素数１以上１８以下の炭化水素基から選ばれる１種以上の基が結合している」には、多糖又はその誘導体の水酸基から水素原子を除いた基、即ち酸素原子に、カチオン基のカチオン原子、例えば窒素カチオンが直接共有結合する結合様式は含まない。
【００１４】
多糖としては、例えばセルロース、グアーガム又はスターチから選ばれる１種以上の多糖が挙げられる。（ａ１）成分は多糖ポリマーであるが、これを得るための前駆化合物として多糖ポリマーを用いることができる。すなわち、（ａ１）成分は、多糖ポリマーの誘導体であってよい。（ａ１）成分の前駆化合物である多糖ポリマーとしては、前記多糖の水酸基の水素原子の一部又は全部が炭素数１以上４以下のヒドロキシアルキル基で置換された多糖ポリマー（以下、ヒドロキシアルキル置換体ともいう）が挙げられる。炭素数１以上４以下のヒドロキシアルキル基は、好ましくは炭素数２以上４以下のヒドロキシアルキル基が好ましい。炭素数２以上４以下のヒドロキシアルキル基としては、例えばヒドロキシエチル基、ヒドロキシプロピル基及びヒドロキシブチル基から選ばれる１種以上の基が挙げられ、ヒドロキシエチル基及びヒドロキシプロピル基から選ばれる１種以上の基が好ましい。（ａ１）成分は、セルロース、グアーガム又はスターチから選ばれる１種以上の多糖又はそれらのヒドロキシアルキル置換体から選ばれる多糖又は多糖ポリマーに、炭素数１以上１８以下の炭化水素基及びカチオン基から選ばれる１種以上の基が導入された化合物であってよい。
【００１５】
（ａ１）成分の中で、炭素数１以上１８以下の炭化水素基を有する多糖ポリマーは、（ａ１）成分の前駆化合物である多糖又はその誘導体に、直接又は連結基〔以下、連結基（１）成分という〕を介して、炭素数１以上１８以下の炭化水素基が結合した多糖ポリマーが挙げられる。
【００１６】
前記の連結基（１）は、ヒドロキシ基を有していてもよい炭素数１以上３以下のアルキレンオキシ基、アルキレン基が炭素数１以上３以下のアルキレン基であるポリオキシアルキレン基、カルボニル基、カルボニルオキシ基及びオキシカルボニル基から選ばれる１種以上の基が挙げられる。一つの連結基（１）は、前記の連結基の１種類であってもよく、複数種類組み合わされていてもよい。また、多糖ポリマー中に含まれる連結基は１種類でもよく、複数種類でもよい。
本発明において、連結基（１）が有する酸素原子に前記炭化水素基が連結されている場合は、（ａ１）成分が有する炭化水素基の炭素数は、酸素原子に結合した前記炭化水素基の炭素数を表す。前記炭化水素基がカルボニル基を介して連結している場合には、アシル基が結合した構造となり、この場合は、（ａ１）成分が有する炭化水素基の炭素数は、アシル基の炭素数を表す。カルボニルオキシ基及びオキシカルボニル基を介して連結している場合も、同様に、それらの炭素数を含む。多糖又は多糖ポリマーに炭化水素基を導入する場合に、１，２−エポキシアルカンを使用した場合には、エポキシ基から生じたエーテル基に結合する脂肪族炭化水素基の炭素数を表す。エポキシ基部分は連結基（１）となる。例えば１，２−エポキシテトラデカンを用いて、多糖又は多糖ポリマーに炭化水素基を導入した場合の炭化水素基の炭素数は１２とする。すなわち、多糖又は多糖ポリマーの水酸基に連結基（１）であるオキシエチレン基が結合し、該連結基を介して炭素数１２のアルキル基（ドデシル基）が結合する。アルキルグリシジルエーテルを用いる場合も同様である。
【００１７】
（ａ１）成分の中で、炭素数１以上１８以下の炭化水素基を有する多糖ポリマーは、更に前記ヒドロキシアルキル置換体の一部又は全ての水酸基から水素原子を除いた酸素原子に、直接又は連結基（１）を介して、好ましくは連結基（１）を介して、炭素数１以上１８以下の炭化水素基が結合した多糖ポリマーが挙げられる。
【００１８】
（ａ１）成分の中で、炭素数１以上１８以下の炭化水素基を有する多糖ポリマーは、本発明の課題を解決できる観点で、炭素数１以上１８以下の炭化水素基の炭素数が、好ましくは２以上、更に好ましくは４以上、更に好ましくは６以上、より更に好ましくは８以上、より更に好ましくは１０以上、より更に好ましくは１２以上、そして、好ましくは１６以下、より好ましくは１４以下である。炭化水素基は、本発明の課題を解決できる観点で、脂肪族炭化水素基が好ましい。
【００１９】
（ａ１）成分である、炭素数１以上１８以下の炭化水素基を有する多糖ポリマーは、炭素数１以上１８以下の炭化水素基の置換度が、本発明の課題を解決できる観点から、好ましくは０．０００１以上、より好ましくは０．００１以上、更に好ましくは０．００５以上、そして、同じ観点から、好ましくは０．４以下、より好ましくは０．２以下、更に好ましくは０．１以下、より更に好ましくは０．０８以下、より更に好ましくは０．０６以下である。
【００２０】
（ａ１）成分の中で、カチオン基から選ばれる１種以上の基を有する多糖ポリマーは、（ａ１）成分の前駆化合物である多糖又はその誘導体、好ましくは前記ヒドロキシアルキル置換体が有する水酸基から水素原子を除いた基に、連結基である、水酸基を含んでいてもよい炭素数１以上４以下のアルキレン基〔以下、連結基（２）という〕を介して、カチオン基が結合している多糖ポリマーが挙げられる。
カチオン基は、窒素カチオンを含む基が好ましく、ポリマー１ｇ当たりの水和水量を６ｇ以上の範囲に制御することで、本発明の課題を解決できる観点から、第４級アンモニウム基であることがより好ましい。
【００２１】
連結基（２）は、水酸基を含んでいてもよい炭素数１以上４以下のアルキレン基である。炭素数１以上４以下のアルキレン基としては、水酸基を含んでいてもよい直鎖の炭素数１以上４以下のアルキレン基及び水酸基を含んでいてもよい分岐鎖の炭素数３又は４のアルキレン基から選ばれる１種以上のアルキレン基が挙げられる。
【００２２】
カチオン基が第４級アンモニウム基である場合、該第４級アンモニウム基に結合した連結基（２）以外の３つの炭化水素基は、それぞれ独立に、炭素数１以上４以下の直鎖又は分岐鎖の炭化水素基が挙げられる。炭素数１以上４以下の直鎖の炭化水素基としては、メチル基、エチル基、ｎ−プロピル基及びｎ−ブチル基が挙げられる。炭素数３又は４の分岐鎖の炭化水素基としては、イソプロピル基、ｓｅｃ−ブチル基、ｔｅｒｔ−ブチル基、イソブチル基が挙げられる。炭素数１以上４以下の直鎖の炭化水素基としては、メチル基又はエチル基が好ましい。
第４級アンモニウム基の対イオンは、炭素数１以上３以下のアルキル硫酸イオン、硫酸イオン、リン酸イオン、炭素数１以上３以下の脂肪酸イオン、及びハロゲン化物イオンから選ばれる１種以上の対イオンが挙げられる。これらの中でも、製造の容易性及び原料入手容易性の観点から、好ましくは炭素数１以上３以下のアルキル硫酸イオン、硫酸イオン、及びハロゲン化物イオンから選択される１種以上、より好ましくはハロゲン化物イオンである。ハロゲン化物イオンとしては、フッ化物イオン、塩化物イオン、臭化物イオン、及びヨウ化物イオンが挙げられる。（ａ１）成分の多糖ポリマーの水溶性及び化学的安定性の観点から、好ましくは塩化物イオン及び臭化物イオンから選択される１種以上、より好ましくは塩化物イオンである。なお、対イオンは１種単独であってもよく、２種以上であってもよい。
【００２３】
（ａ１）成分の、カチオン基を有する多糖ポリマーのカチオン基の置換度が高いと、ポリマー１ｇあたりの水和水量を高くすることができる。本発明の課題を解決できる観点から、カチオン基を含む（ａ１）成分のカチオン基の置換度の値は高い方が好ましい。ポリマー１ｇあたりの水和水量を制御することで、本発明の課題を解決できる観点を考慮して、本発明では、カチオン基の置換度の値を選定することが好ましい。（ａ１）成分である、カチオン基を有する多糖ポリマーのカチオン基の置換度は、前記の観点から、好ましくは０．００１以上、より好ましくは０．００５以上、更に好ましくは０．０１以上であり、そして、好ましくは１以下、より好ましくは０．７以下、更に好ましくは０．４以下、より更に好ましくは０．３５以下、より更に好ましくは０．３以下、より更に好ましくは０．２５以下、より更に好ましくは０．２以下である。
【００２４】
本発明において、（ａ１）成分の、炭素数１以上１８以下の炭化水素基及びカチオン基から選ばれる１種以上の基の置換度は、それぞれ、構成単糖単位あたりの当該基の置換数、すなわち、モル平均の置換度（ＭＳ）を意味する。例えば、多糖がセルロースの場合には、「基の置換度」は、アンヒドログルコース単位１モルに対して導入された当該基の平均モル数を意味する。多糖ポリマーのカチオン基の置換度、及び炭素数１以上１８以下の炭化水素基の置換度は、それぞれ、実施例に記載の方法で求められる。
【００２５】
（ａ１）成分は、炭素数１以上１８以下の炭化水素基及びカチオン基の両方を有する多糖ポリマーであってもよい。この場合のそれぞれの基の置換度は、前記の通りである。
【００２６】
（ａ１）成分は、アニオン基を有することもできるが、（ａ１）成分におけるアニオン基の置換度と、カチオン基の置換度及び炭素数１以上１８以下の炭化水素基の置換度の合計との比は、アニオン基の置換度／（カチオン基の置換度＋炭素数１以上１８以下の炭化水素基の置換度）で、本発明の課題を解決できる観点から、好ましくは３以下、より好ましくは１．７以下、更に好ましくは１．５以下、より更に好ましくは１以下、より更に好ましくは０．５以下、より更に好ましくは０．１以下であり、そして、０以上であってもよく、０であることが好ましい。
【００２７】
本発明の（ａ１）成分の前駆化合物である多糖又はその誘導体の重量平均分子量は、本発明の課題を解決できる観点から、好ましくは１，０００以上、より好ましくは１万以上、更に好ましくは３万以上、より更に好ましくは５万以上、より更に好ましくは７万以上、より更に好ましくは１０万以上、より更に好ましくは３０万以上、より更に好ましくは５０万以上、そして、同じ観点から、好ましくは３００万以下、より好ましくは２５０万以下である。この前駆化合物の重量平均分子量は、ＧＰＣ（ゲル浸透クロマトグラフィー）によるポリエチレングリコール換算により算出することができる
【００２８】
＜（ｂ）成分＞
本発明の（ｂ）成分は、下記一般式（ｂ１）で表されるノニオン界面活性剤である。
Ｒ１ｂ−ＣＯＯ−（ＡＯ）ｍ−Ｒ２ｂ      （ｂ１）
〔式中、Ｒ１ｂは炭素数９以上２１以下の脂肪族炭化水素基であり、ＡＯは、炭素数２及び炭素数３のアルキレンオキシ基から選ばれる１種以上の基であり、ｍはＡＯの平均付加モル数であり、５以上５０以下の数であり、Ｒ２ｂは、水素原子又は炭素数１以上３以下のアルキル基である。〕
【００２９】
一般式（ｂ１）中のＲ１ｂの炭素数は、（ａ）成分が性能を発現しやすい溶存状態を得る観点から、９以上、好ましくは１１以上、そして、同じ観点から、２１以下、好ましくは１９以下、より好ましくは１７以下、更に好ましくは１５以下、より更に好ましくは１３以下である。
また、一般式（ｂ１）中のＲ１ｂの脂肪族炭化水素基としては、アルキル基及びアルケニル基から選ばれる脂肪族炭化水素基が挙げられ、（ａ）成分が性能を発現しやすい溶存状態を得る観点から、アルキル基が好ましい。
【００３０】
一般式（ｂ１）中のＲ２ｂの炭素数１以上３以下のアルキル基は、メチル基、エチル基及びプロピル基から選ばれるアルキル基が挙げられ、好ましくはメチル基である。
一般式（ｂ１）中のＲ２ｂは、貯蔵安定性、柔軟性又は洗浄性の観点から、メチル基が好ましい。
【００３１】
一般式（ｂ１）中のｍは、ＡＯの平均付加モル数であり、（ａ）成分が性能を発現しやすい溶存状態を得る観点から、好ましくは６以上、より好ましくは７以上、そして、同じ観点から、好ましくは４５以下、より好ましくは４０以下、更に好ましくは３５以下、より更に好ましくは３０以下、より更に好ましくは２５以下、より更に好ましくは２０以下、より更に好ましくは１８以下、より更に好ましくは１６以下、より更に好ましくは１４以下、より更に好ましくは１２以下の数である。
ＡＯは、炭素数２及び炭素数３のアルキレンオキシ基から選ばれる１種以上の基である。ＡＯは、例えば、エチレンオキシ基及びプロピレンオキシ基から選ばれる１種以上の基が挙げられる。（ａ）成分が性能を発現しやすい溶存状態を得る観点かえら、ＡＯが、エチレンオキシ基を含むアルキレンオキシ基であることが好ましく、ＡＯはエチレンオキシ基がより好ましい。
【００３２】
＜（ｃ）成分＞
本発明の（ｃ）成分は、（ｂ）成分以外のノニオン界面活性剤〔以後、（ｃ１）成分と称する場合がある。〕及びアニオン界面活性剤〔以後、（ｃ２）成分と称する場合がある。〕から選ばれる１種以上の界面活性剤である。（ｃ）成分は、（ｂ）成分と混合界面活性剤系となることで、（ａ）成分が性能を発現しやすい溶存状態を得ることができる。
【００３３】
（ｃ１）成分である、ノニオン界面活性剤として、好ましくは下記一般式（ｃ１）で表されるノニオン界面活性剤が好ましい。
Ｒ１ｃ−Ｏ［（ＥＯ）ａ／（ＰＯ）ｂ］−Ｈ              （ｃ１）
〔式中、Ｒ１ｃは炭素数１２以上１４以下のアルキル基又はアルケニル基を示す。ＥＯはエチレンオキシ基であり、ＰＯはプロピレンオキシ基である。ａはＥＯの平均付加モル数であり３以上３０以下の数、ｂはＰＯの平均付加モル数であり０以上１０以下の数を示す。〕
【００３４】
一般式（ｃ１）中、Ｒ１ｃは、（ｂ）成分と混合界面活性剤系となることで、（ａ）成分が性能を発現しやすい溶存状態を得ることができる観点から、炭素数１２以上１４以下のアルキル基又はアルケニル基である。ＥＯはエチレンオキシ基であり、ＰＯはプロピレンオキシ基である。ａはＥＯの平均付加モル数であり、３以上３０以下の数、ｂはＰＯの平均付加モル数であり０以上１０以下の数を示す。ａは（ｂ）成分と混合界面活性剤系となることで、（ａ）成分が性能を発現しやすい溶存状態を得ることができる観点から、好ましくは５以上、より好ましくは６以上、そして、同じ観点から、好ましくは２５以下、より好ましくは２２以下、更に好ましくは２０以下、より更に好ましくは１８以下の数である。ｂは、（ｂ）成分と混合界面活性剤系となることで、（ａ）成分が性能を発現しやすい溶存状態を得ることができる観点から、０以上、そして、好ましくは５以下、より好ましくは３以下の数である。
なお、一般式（ｃ１）においては、ＥＯとＰＯとはランダム共重合体又はブロック共重合体のいずれの形態で配列されていてもよい。
【００３５】
（ｃ１）成分としては、グリフィン法で求めたＨＬＢが１１以上１７以下の非イオン界面活性剤が好ましい。
【００３６】
また、一般式（ｃ１）で表される非イオン界面活性剤としては、ポリオキシエチレンアルキルエーテル型非イオン界面活性剤、並びにオキシエチレン基及びオキシプロピレン基を有するポリオキシアルキレンアルキルエーテル型非イオン界面活性剤が挙げられ、これらは、２種両方を併用することもできる。
【００３７】
ポリオキシエチレンアルキルエーテル型非イオン界面活性剤としては、具体的には、下記一般式で表される化合物が挙げられるが、これらに限定されない。
C12H25-O(C2H4O)m1-H    （ｍ１＝６以上２０以下、ＨＬＢ＝１１．７以上１６．９以下）
C14H29-O(C2H4O)m2-H    （ｍ２＝６以上２４以上、ＨＬＢ＝１１．０以上１７．０以下）
【００３８】
更に具体的には、ポリオキシエチレンラウリルエーテル（オキシエチレン平均付加モル数１０、ＨＬＢ１４）が挙げられる。
【００３９】
また、オキシエチレン基及びオキシプロピレン基を有するポリオキシアルキレンアルキルエーテル型非イオン界面活性剤としては、オキシエチレン基及びオキシプロピレン基がランダム共重合体又はブロック共重合体のいずれの形態で配列されていてもよく、その中でもブロック共重合体が好ましい。ブロック共重合体の形態としては、下記一般式（ｃ１−１）で表される化合物、更に、下記一般式（ｃ１−１）で表される化合物であってグリフィン法で求めたＨＬＢが１３以上１７以下である化合物が好ましい。
Ｒ２ｃ−Ｏ（ＥＯ）ｐ（ＰＯ）ｑ（ＥＯ）ｒ−Ｈ            （ｃ１−１）
〔式中、Ｒ２ｃは炭素数１２以上１４以下のアルキル基又はアルケニル基を示す。ＥＯはエチレンオキシ基であり、ＰＯはプロピレンオキシ基である。ｐはＥＯの平均付加モル数であり１以上２０以下の数、ｑはＰＯの平均付加モル数であり１以上１０以下の数、ｒはＥＯの平均付加モル数であり１以上２０以下の数を示す。ただし、ｐ＋ｒは３以上３０以下の数である。〕
【００４０】
一般式（ｃ１−１）中、ｐは、好ましくは６以上、より好ましくは７以上、そして、好ましくは１５以下、より好ましくは１２以下の数である。
一般式（ｃ１−１）中、ｑは、１以上、そして、１０以下、好ましくは５以下、より好ましくは３以下の数である。
一般式（ｃ１−１）中、ｒは、好ましく６以上、より好ましくは７以上、そして、好ましくは１５以下、より好ましくは１２以下の数である。
一般式（ｃ１−１）中、ｐ＋ｒは、好ましくは５以上、より好ましくは６以上、そして、好ましくは２５以下、より好ましくは２２以下の数である。
【００４１】
一般式（ｃ１−１）の具体的な化合物として以下のものが挙げられる。
C12H25-O(C2H4O)p1(C3H6O)q1(C2H4O)r1-H  （ｐ１＋ｑ１＋ｒ１＝５〜２０であり、ｐ１、ｑ１、ｒ１はそれぞれ０ではない平均付加モル数であり、ＨＬＢ＝１３．４〜１７．０）
【００４２】
更に、具体的には、C12H25-O(C2H4O)7(C3H6O)2(C2H4O)4-H（ＨＬＢ１５．８）などが挙げられる。
【００４３】
（ｃ２）成分のアニオン界面活性剤は、下記（ｃ２-１）成分、（ｃ２−２）成分、（ｃ２−３）成分及び（ｃ２−４）成分から選ばれる１種以上の陰イオン界面活性剤が挙げられる。（ｃ２）成分の陰イオン界面活性剤を（ｂ）成分と併用することで、（ｂ）成分及び（ｃ）成分の合計含有割合が高くても、（ａ）成分が性能を発現しやすい溶存状態を得ることができる点で好ましい。
（ｃ２−１）成分：アルキル又はアルケニル硫酸エステル塩
（ｃ２−２）成分：アルキレンオキシ基を有するポリオキシアルキレンアルキル又はアルケニルエーテル硫酸エステル塩
（ｃ２−３）成分：スルホン酸塩基を有する陰イオン界面活性剤
（ｃ２−４）成分：脂肪酸又はその塩
【００４４】
（ｃ２−１）成分として、より具体的には、アルキル基の炭素数が１０以上１８以下のアルキル硫酸エステル塩、及びアルケニル基の炭素数が１０以上１８以下のアルケニル硫酸エステル塩から選ばれる１種以上の陰イオン界面活性剤が挙げられる。洗浄剤組成物の洗浄性と吐出性を高める観点から、（ｃ２−１）成分は、アルキル基の炭素数が１２以上１８以下のアルキル硫酸エステル塩から選ばれる１種以上の陰イオン界面活性剤が好ましく、アルキル基の炭素数が１２以上１８以下のアルキル硫酸ナトリウムから選ばれる１種以上の陰イオン界面活性剤がより好ましい。
【００４５】
（ｃ２−２）成分として、より具体的には、アルキル基の炭素数が１０以上１８以下、アルキレンオキシド平均付加モル数が１以上５以下のポリオキシアルキレンアルキルエーテル硫酸エステル塩、及びアルケニル基の炭素数が１０以上１８以下、及びアルキレンオキシド平均付加モル数が１以上５以下のポリオキシアルキレンアルケニルエーテル硫酸エステル塩から選ばれる１種以上の陰イオン界面活性剤が挙げられる。（ａ）成分の水への分散性がより高まる観点から、（ｃ２−２）成分は、平均エチレンオキシド付加モル数が１以上３以下であるポリオキシエチレンアルキルエーテル硫酸エステル塩が好ましく、アルキル基の炭素数が１２以上１４以下でかつ、平均エチレンオキシド付加モル数が１以上３以下であるポリオキシエチレンアルキルエーテル硫酸エステル塩がより好ましく、さらに、これらのナトリウム塩が更に好ましい。
【００４６】
（ｃ２−３）成分であるスルホン酸塩基を有する陰イオン界面活性剤とは、親水基としてスルホン酸塩を有する陰イオン界面活性剤を表す。
（ｃ２−３）成分として、より具体的には、アルキル基の炭素数が１０以上１８以下のアルキルベンゼンスルホン酸塩、アルケニル基の炭素数が１０以上１８以下のアルケニルベンゼンスルホン酸塩、アルキル基の炭素数が１０以上１８以下のアルカンスルホン酸塩、α−オレフィン部分の炭素数が１０以上１８以下のα−オレフィンスルホン酸塩、脂肪酸部分の炭素数が１０以上１８以下のα−スルホ脂肪酸塩、及び脂肪酸部分の炭素数が１０以上１８以下であり、エステル部分の炭素数が１以上５以下であるα−スルホ脂肪酸低級アルキルエステル塩、炭素数が１２以上１６以下の内部オレフィンスルホン酸塩から選ばれる１種以上の陰イオン界面活性剤が挙げられる。洗浄剤組成物の洗浄性と吐出性を高める観点から、（ｃ２−３）成分は、アルキル基の炭素数が１１以上１６以下のアルキルベンゼンスルホン酸塩が好ましく、アルキル基の炭素数が１１以上１６以下のアルキルベンゼンスルホン酸ナトリウムがより好ましい。
【００４７】
（ｃ２−４）成分である脂肪酸又はその塩としては、炭素数１０以上２０以下の脂肪酸又はその塩が挙げられる。（ｃ２−４）成分の炭素数は、１０以上であり、好ましくは１２以上、より好ましくは１４以上、そして、２０以下、好ましくは１８以下である。
【００４８】
（ｃ２−１）成分〜（ｃ２−４）成分である陰イオン界面活性剤の塩としては、アルカリ金属塩が好ましく、ナトリウム塩又はカリウム塩がより好ましい。
【００４９】
＜水＞
水としては、イオン交換水、次亜塩素酸塩を０．１ｍｇ／ｋｇ以上１０ｍｇ／ｋｇ以下含むイオン交換水、蒸留水を挙げることができる。
【００５０】
＜組成等＞
本発明の衣料用液体洗浄剤組成物において、（ａ）成分の含有量は、（ａ）成分を衣料に対して柔軟性を付与しやすい溶存状態にする観点から、０．０５質量％以上、好ましくは０．１質量％以上、より好ましくは０．２質量％以上、そして、１質量％以下、好ましくは０．８質量％以下、より好ましくは０．５質量％以下である。
【００５１】
本発明の衣料用液体洗浄剤組成物において、（ｂ）成分の含有量は、（ａ）成分である多糖ポリマーを衣料に対して柔軟性を付与しやすい溶存状態にする観点から、好ましくは５質量％以上、より好ましくは８質量％以上、更に好ましくは１０質量％以上、そして、洗浄性、及び貯蔵安定性の観点から、好ましくは５０質量％以下、より好ましくは４０質量％以下、更に好ましくは３５質量％以下、より更に好ましくは３０質量％以下、より更に好ましくは２５質量％以下、より更に好ましくは２０質量％以下である。
【００５２】
本発明の衣料用液体洗浄剤組成物において、（ｃ）成分の含有量は、貯蔵安定性、及び洗浄性の観点から、好ましくは５質量％以上、より好ましくは７質量％以上、更に好ましくは１０質量％以上、より更に好ましくは１５質量％以上、より更に好ましくは２０質量％以上、より更に好ましくは２５質量％以上、そして、（ｂ）成分と（ｃ）成分の混合系において（ａ）成分である多糖ポリマーを衣料に対して柔軟性を付与しやすい溶存状態にする観点から、好ましくは５０質量％以下、より好ましくは４０質量％以下、更に好ましくは３５質量％以下である。
【００５３】
本発明の衣料用液体洗浄剤組成物において、（ｂ）成分と（ｃ）成分の合計含有量は、（ａ）成分を衣料に対して柔軟性を付与しやすい溶存状態にする観点から、１４質量％以上、好ましくは１８質量％以上、より好ましくは２５質量％以上、更に好ましくは３０質量％以上、より更に好ましくは４０質量％以上、そして、保存安定性を高める観点から、８０質量％以下、好ましくは７０質量％以下、より好ましくは６５質量％以下、更に好ましくは５５質量％以下、より更に好ましくは５０質量％以下である。
【００５４】
本発明の衣料用液体洗浄剤組成物において、（ｂ）成分の含有量と（ｃ）成分の含有量との質量比（ｂ）／（ｃ）は、保存安定性の向上と（ａ）成分による衣料の柔軟性発現の観点から、０．２０以上、好ましくは０．２５以上であり、より好ましくは０．３０以上であり、更に好ましくは０．３５以上であり、より更に好ましくは０．４０以上、そして、衣料のきしみ感を低減する観点、及び貯蔵安定性の観点から、６．０以下、好ましくは５．０以下、より好ましくは４．０以下、更に好ましくは３．０以下、より更に好ましくは２．０以下、より更に好ましくは１．０以下、より更に好ましくは０．７以下である。
【００５５】
本発明の衣料用液体洗浄剤組成物において、（ａ）成分の含有量と水の含有量との質量比（ａ）／水は、（ａ）成分による衣料の柔軟性発現の観点から、０．００４０以上、好ましくは０．００４５以上、より好ましくは０．００５０以上、更に好ましくは０．００５５以上、より更に好ましくは０．００６０以上、そして、保存安定性の観点から、０．０１５以下であり、好ましくは０．０１４以下であり、より好ましくは０．０１３以下であり、更に好ましくは０．０１２以下、より更に好ましくは０．０１０以下、より更に好ましくは０．０８０以下である。
【００５６】
＜任意成分＞
本発明の衣料用液体洗浄剤組成物には、下記（ｄ１）〜（ｄ７）成分を配合してもよい。
（ｄ１）ポリアクリル酸、ポリマレイン酸、カルボキシメチルセルロースなどの再汚染防止剤及び分散剤を組成物中０．０１質量％以上１０質量％以下
（ｄ２）過酸化水素、過炭酸ナトリウム又は過硼酸ナトリウム等の漂白剤を組成物中０．０１質量％以上１０質量％以下
（ｄ３）テトラアセチルエチレンジアミン、特開平６−３１６７００号の一般式（Ｉ−２）〜（Ｉ−７）で表される漂白活性化剤等の漂白活性化剤を組成物中０．０１質量％以上１０質量％以下
（ｄ４）セルラーゼ、アミラーゼ、ペクチナーゼ、プロテアーゼ及びリパーゼから選ばれる１種以上の酵素、好ましくはアミラーゼ及びプロテアーゼから選ばれる１種以上の酵素を組成物中０．００１質量％以上、好ましくは０．０１質量％以上、より好ましくは０．１質量％以上、更に好ましくは０．３質量％以上、そして、２質量％以下、好ましくは１質量％以下
（ｄ５）蛍光染料、例えばチノパールＣＢＳ（商品名、チバスペシャリティケミカルズ製）やホワイテックスＳＡ（商品名、住友化学社製）として市販されている蛍光染料を組成物中０．００１質量％以上１質量％以下
（ｄ６）ブチルヒドロキシトルエン、ジスチレン化クレゾール、亜硫酸ナトリウム及び亜硫酸水素ナトリウム等の酸化防止剤を組成物中０．０１質量％以上２質量％以下
（ｄ７）色素、香料、抗菌防腐剤、シリコーン等の消泡剤を適量。
【実施例】
【００５７】
以下に本発明の効果を実施例により例示するが、本発明は実施例に限定されるものではない。
【００５８】
〔（ａ）成分の水和水量の算出方法〕
（ａ）成分の水和水量は、（ｂ）成分の１．０質量％水溶液をイオン交換水で調製し、示差走査熱量計（ＤＳＣ、Ｑ２０００、ＴＡ  ｉｎｓｔｕｍｅｎｔｓ社製）を用いて、水の融解熱ΔＨ〔Ｊ／ｇ〕（−５℃から５℃の領域）を測定することにより算出した。測定条件は、４０℃から２℃／ｍｉｎの速度で−２０℃まで降温し、−２０℃で１０分静置後、２℃／ｍｉｎの速度で２５℃まで昇温した。同条件で測定した純水の融解熱ΔＨｗを用い、水和水量（ｇ／ポリマー１ｇ当たり）は、（１００−１）×（ΔＨｗ−ΔＨ）／ΔＨｗの式より算出した。
【００５９】
〔（ａ）成分のカチオン基の置換度の測定（ケルダール法）〕
（ａ）成分である多糖ポリマー１ｇを１００ｇの水に溶かした後、水溶液を透析膜（スペクトラポア、分画分子量１０００）に入れ、２日間透析を行った。得られた水溶液を、凍結乾燥機（ｅｙｅｌａ，ＦＤＵ１１００）を用いて凍結乾燥することで、前処理済の多糖ポリマーを得た。
前記の方法で前処理した多糖ポリマーの２００ｍｇを精秤し、濃硫酸１０ｍＬとケルダール錠(Ｍｅｒｃｋ)１錠を加え、ケルダール分解装置（ＢＵＣＨＩ社製、Ｋ−４３２）にて加熱分解を行った。分解終了後、サンプルにイオン交換水３０ｍＬを加え、自動ケルダール蒸留装置（ＢＵＣＨＩ社製、Ｋ−３７０）を用いてサンプルの窒素含量（質量％）を求めることで、カチオン基の質量を算出した。
【００６０】
〔（ａ）成分の炭化水素基（アルキル基）の置換度の算出（Ｚｅｉｓｅｌ法）〕
前記の方法で前処理した多糖ポリマー２００ｍｇ、アジピン酸２２０ｍｇを１０ｍＬバイアル（マイティーバイアルＮｏ．３）に精秤し、内標溶液（テトラデカン／ｏ−キシレン＝１／２５（ｖ／ｖ）)３ｍＬおよびヨウ化水素酸３ｍＬを加えて密栓した。また、多糖ポリマーの代わりに１−ヨードドデカンを２．４ｍｇまたは９ｍｇ加えた検量線用の試料を調製した。各試料をスターラーチップにより攪拌しながら、ブロックヒーター（ＰＩＥＲＣＥ社製、Ｒｅａｃｔｉ−Ｔｈｅｒｍ III  Ｈｅａｔｉｎｇ／Ｓｔｉｒｒｉｎｇ  ｍｏｄｕｌｅ）を用いて１６０℃、２時間の条件で加熱した。試料を放冷した後、上層（ｏ−キシレン層）を回収し、下記条件のガスクロマトグラフィー（ＧＣ）(島津製作所社、ＱＤ２０１０ｐｌｕｓ)にて分析した。
・ＧＣ分析条件
カラム：Ａｇｉｌｅｎｔ  ＨＰ−１（長さ：３０ｍ、液相膜厚：０．２５μＬ、内径：３２ｍｍ)
スプリット比：２０
カラム温度：１００℃（２ｍｉｎ）→１０℃／ｍｉｎ→３００℃（１５ｍｉｎ）
インジェクター温度：３００℃
検出器：ＨＩＤ
検出器温度：３３０℃
打ち込み量：２μＬ
ＧＣにより得られた１−ヨードドデカンの検出量から、サンプル中のアルキル基の質量を求めた。
【００６１】
・ヒドロキシアルキル基質量の測定
ヒドロキシアルキル基由来のヨウ化アルキルを定量することで、前述のアルキル基質量の測定と同様にして行った。
【００６２】
・カチオン基およびアルキル基の置換度の算出
上述のカチオン基とアルキル基の質量および全サンプル質量から多糖ポリマーの骨格の質量を計算し、それぞれ物質量（ｍｏｌ）に変換することでカチオン基とアルキル基の置換度をモル平均で算出した。
【００６３】
・重量平均分子量の測定
ヒドロキシエチルセルロース（ＨＥＣ）の重量平均分子量は、ＧＰＣ（ゲル浸透クロマトグラフィー）によるポリエチレングリコール換算により算出した。
測定条件は、以下の通りである。
・カラム：ＴＳＫｇｅｌ  α−Ｍ
・溶離液：５０ｍｍｏｌ／Ｌ  ＬｉＢｒ、１％ＣＨ３ＣＯＯＨ、エタノール／水＝３／７
・温度：４０℃
・流速：０．６ｍＬ／ｍｉｎ
【００６４】
〔（ａ）成分〕
・（ａ−１）：下記の合成例で得られた多糖ポリマー（水和水量１５．４ｇ／ポリマー１ｇあたり）
・（ａ−２）：下記の合成例で得られた多糖ポリマー（水和水量１５．９ｇ／ポリマー１ｇあたり）
・（ａ−３）：カチオン化セルロース（ヒドロキシエチルセルロースヒドロキシプロピルトリメチルアンモニウムクロリドエーテル、分子量６０万、カチオン基は第４級アンモニウム基、カチオン基の置換度は０．６０、水和水量１４．１ｇ／ポリマー１ｇあたり）
【００６５】
・（ａ−１）の合成例
ヒドロキシエチルセルロース（Ａｓｈｌａｎｄ社、Ｎａｔｒｏｓｏｌ  ２５０  ＧＲ、重量平均分子量：３０万、ヒドロキシエチル基の置換度（ＭＳ）：２．５）９０ｇを１Ｌセパラブルフラスコに入れ、窒素フローを行った。イオン交換水７７．２ｇ、イソプロピルアルコール（以下ＩＰＡという）４１４．５ｇを加え、直径５ｃｍの半月形撹拌羽根（テフロン（登録商標）製）を用いて２００ｒｐｍで５分間撹拌した後、４８％水酸化ナトリウム水溶液１０．９ｇを加え、更に１５分間撹拌した。次に、ラウリルグリシジルエーテル（四日市合成（株）、ＬＡ−ＥＰ）５．６ｇを加え、８０℃で１３時間アルキル化反応を行った。更にグリシジルトリメチルアンモニウムクロライド（阪本薬品工業（株）、ＳＹ−ＧＴＡ８０）１２．９ｇを加え、５０℃で１．５時間カチオン化反応を行った。その後、９０％酢酸水溶液１０．９ｇを加え、３０分撹拌することで中和反応を行った。
得られた懸濁液を５００ｍＬの遠沈管２本に均等に移し替え、高速冷却遠心機（日立工機（株）、ＣＲ２１Ｇ III）を用いて遠心分離を行った。上澄みをデカンテーションにより取り除き、取り除いた上澄みと同量の８５％ＩＰＡ水溶液を加え、再分散を行った。再度、遠心分離と再分散の操作を繰り返し、３回目の遠心分離を行った後に沈殿物を取り出した。得られた沈殿物を、真空乾燥機（アドバンテック社、ＶＲ−４２０）を用いて８０℃で一晩減圧乾燥し、エクストリームミル（ワーリング社、ＭＸ−１２００ＸＴＭ）により解砕することで、粉末状の多糖ポリマー組成物として（ａ−１）を得た。得られた（ａ−１）のラウリル基の置換度は０．０３０であり、カチオン基の置換度は０．０２３であった。前記のポリマーの水和水量の算出方法に従って求められた（ａ−１）の水和水量は１５．４ｇ／ポリマー１ｇあたりであった。
【００６６】
・（ａ−２）の合成例
前記の（ａ−１）の合成例において、原料となるヒドロキシエチルセルロースとして、重量平均分子量が１５万であり、ヒドロキシエチル基の置換度（ＭＳ）が２．５であるヒドロキシエチルセルロースを用いた。前記の（ａ−１）の合成例において、ラウリルグリシジルエーテルの仕込み量、グリシジルトリメチルアンモニウムクロライド、反応条件等を適宜変えることで（ａ−２）を得た。（ａ−２）のラウリル基の置換度は０．０１９であり、カチオン基の置換度は０．１０であった。前記のポリマーの水和水量の算出方法に従って求められた（ａ−２）の水和水量は１５．９ｇ／ポリマー１ｇあたりであった。
【００６７】
〔（ｂ）成分〕
（ｂ−１）：ポリオキシエチレン脂肪酸（ラウリル）メチルエステル（レオファットＬＡ−１１０Ｍ−９５、ライオン（株）製）
（ｂ−２）：ポリオキシエチレンモノラウレート（エマノーン１１１２、花王（株）製、オキシエチレン基の平均付加モル数１２モル）
【００６８】
〔（ｃ）成分〕
（ｃ−１）：ポリオキシアルキレンラウリルエーテル（ラウリルアルコール１モルに対し、エチレンオキシ基を平均で１０モル付加した化合物）
（ｃ−２）：ポリオキシエチレンラウリルエーテル硫酸ナトリウム（オキシエチレン基の平均付加モル数は３モル）
【００６９】
〔その他成分〕
エタノール（和光純薬工業(株)製、試薬特級）      
〔水〕
イオン交換水
【００７０】
＜衣料用洗浄剤組成物の調製＞
上記の配合成分を用いて、表１に示す衣料用液体洗浄剤組成物を調製して以下の項目について評価を行った。結果を表１に示す。
表１に示す衣料用液体洗浄剤組成物は、具体的には次の通り調製した。２００ｍＬ容量のガラス製ビーカーに長さ５ｃｍのテフロン（登録商標）製スターラーピースを投入し質量を測定した。次に２０℃のイオン交換水８０ｇ、必要量の（ａ）成分、（ｂ）成分、（ｃ）成分及びエタノールを投入し、ビーカーの上面をサランラップ（登録商標）で封をした。
内容物が入ったビーカーをマグネチックスターラーに設置した６０℃のウォーターバスに入れ、ウォーターバス内の水の温度が６０±２℃の温度範囲内で、１００ｒ／ｍｉｎで３０分間撹拌した。次に、ウォーターバス内の水を５℃の水道水に替え、ビーカー内の該組成物の温度が２０℃になるまで冷却した。次に、サランラップ（登録商標）を外し、内容物の質量が１００ｇになるように、イオン交換水を入れ、再度、１００ｒ／ｍｉｎで３０秒間撹拌し、表１に記載の衣料用液体洗浄剤組成物を得た。
【００７１】
＜貯蔵安定性の評価＞
表１に記載の衣料用液体洗浄剤組成物３０ｇをＮｏ．６のガラス製規格瓶に入れキャップを閉めた。これを５０℃の恒温槽に入れ３日間時間静置した後の衣料用液体洗浄剤組成物の外観を目視観察し以下の基準で評価した。外観の評価は、正立させたガラス瓶の背面に、白色の紙に、黒色背景でＭＳゴシック（16pt）で「白」と印刷した紙を配置し、ガラス瓶の正面からガラス瓶を通して背面を観察した時の外観を目視で評価した。結果を表１に示す。表１に記載の保存前の組成物はいずれも、「白」の文字を読み取ることができた。
◎：保存後の組成物の外観は、保存前の衣料用液体洗浄剤組成物と同じ外観であり、「白」の文字を読み取ることができる。
〇：保存前の組成物の外観よりも、保存後の組成物の外観が、肉眼で非常にわずかな濁り度合の増加が確認されるが、背景の「白」の文字が読み取ることができる。
×：保存後の衣料用液体洗浄剤組成物中に固形物が析出し、規格瓶を１８０度傾け元に戻す作業を１０回行っても溶液の外観が均一透明にならない。
【００７２】
＜柔軟性の評価方法＞
（１）評価用衣料の前処理
一般的に、木綿タオルや綿メリヤスに使用する木綿糸の紡績時に使用する紡績油剤や、木綿タオルを製造する際に使用する潤滑剤などの処理剤が、市販の木綿タオル又は綿メリヤスには付着している。本評価では、そのような処理剤の影響を排除するために評価用衣料を下記に示す方法で前処理した。本評価における前処理は、市販の木綿タオル又は綿メリヤスに付着している処理剤の量を、下記に示す洗濯操作により低減する目的で行う処理操作を含む。
【００７３】
（１）木綿タオルの前処理
木綿タオル２４枚（武井タオル株式会社製、ＴＷ−２２０、木綿１００％）に、以下の洗濯操作を行い、２３℃、４５％ＲＨの環境下で２４時間乾燥させた。
洗濯操作は、洗濯操作（１）と洗濯操作（２）とから成っていた。
洗濯操作（１）は、全自動洗濯機（Ｎａｔｉｏｎａｌ製 ＮＡ−Ｆ７０２Ｐ）の標準コースで界面活性剤を用いて洗浄を２回連続して行った。洗濯操作（１）では、この標準コースの洗浄の際に、界面活性剤として、エマルゲン１０８（花王（株）製、ノニオン界面活性剤）４．７ｇを使用した。また、洗濯操作（１）で採用した前記標準コースの条件は、水量４７Ｌ、水温２０℃、洗浄時間９分、ためすすぎ２回、脱水３分であった。
また、洗濯操作（２）は、洗濯操作（１）の後、前記の洗濯操作（１）と同じ条件で、ただし、前記標準コースの洗浄の際に界面活性剤を使用せずに、洗濯操作を３回繰り返して行うものとした。
この前処理では、この条件の洗濯操作（１）と洗濯操作（２）とから成る一連の洗濯操作を行った。
【００７４】
（２）評価用衣料の処理
Ｎａｔｉｏｎａｌ製電気バケツ式洗濯機（型番「Ｎ−ＢＫ２」）に、市水（３．５°ｄＨ、２０℃）を６．０Ｌ注水し、５０℃で２０日間保存後の表１の各衣料用液体洗浄剤組成物１２ｇを投入し、１分間攪拌した。その後、前記の方法で前処理した木綿タオル２枚（１４０ｇ）を投入し、３分間柔軟処理した。柔軟処理後、日立製二層式洗濯機（型番「ＰＳ−Ｈ３５Ｌ」）を用いて１分間脱水を行った。次に前記のバケツ洗濯機に前記の市水を６．０Ｌ注水し、さらに日立製二層式洗濯機で脱水した後の木綿タオルを投入して３分間すすぎ処理を行った。その後二層式洗濯機を用いて同様の脱水処理を１分間行った。この柔軟処理を合計３回行った後、２０℃、４３％ＲＨの条件下で１２時間放置し乾燥させた。
【００７５】
（３）柔軟性の評価
表１に記載の組成の衣料用液体洗浄剤組成物で洗浄、濯ぎ、乾燥した木綿タオルの柔軟性を、衣料の風合い評価の熟練者６名で下記の基準で点数づけし、平均点を算出した。表１には四捨五入した小数点２桁までの値を記載した。
−１…比較例１の組成物で処理した木綿タオルよりも柔らかく仕上がらない。
０…比較例１の組成物で処理した木綿タオルと同等の柔らかさに仕上がった。
１…比較例１の組成物で処理した木綿タオルと比較してやや柔らかく仕上がった。
２…比較例１の組成物で処理した木綿タオルと比較して柔らかく仕上がった。
３…比較例１の組成物で処理した木綿タオルと比較して非常に柔らかく仕上がった。
【００７６】
＜洗浄性の評価＞
（１）洗浄性評価用の衣料の調製
・モデル皮脂人工汚染布の調製
下記組成のモデル皮脂人工汚染液を布（木綿２００３（谷頭商店製））に付着してモデル皮脂人工汚染布を調製した。モデル皮脂人工汚染液の布への付着は、グラビアロールコーターを用いて人工汚染液を布に印刷することで行った。モデル皮脂人工汚染液を布に付着させてモデル皮脂人工汚染布を作製する工程は、グラビアロールのセル容量５８ｃｍ３／ｍ２、塗布速度１．０ｍ／ｍｉｎ、乾燥温度１００℃、乾燥時間１ｍｉｎで行った。その後、６ｃｍ×６ｃｍの大きさに裁断した。
＊モデル皮脂人工汚染液の組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ-ヘキサデシル２．２質量％、スクアレン６．５質量％、卵白レシチン液晶物１．９質量％、鹿沼赤土８．１質量％、カーボンブラック０．０１質量％、水残部（合計１００質量％）
【００７７】
（２）洗浄試験
ターゴトメーター（上島製作所製）を用いて洗浄操作を行った。洗浄に使用する水はイオン交換水に塩化カルシウムと塩化マグネシウムを質量比で８：２の割合で投入し、硬度を４°ｄＨに調製した洗浄用の水を得た。表１に記載の衣料用液体洗浄剤組成物が、洗浄液中の濃度において３３３ｍｇ／ｋｇとなるように洗浄用の水と混合し、洗浄液を得た。洗浄試験用の１リットルのステンレスビーカーに、洗浄液０．６Ｌと前記の界面活性剤の吸着率評価用繊維製品５枚を投入した。洗浄液の温度は２０℃であった。ターゴトメーターで８５ｒｐｍ、１０分間、評価用の繊維を洗浄した。洗浄後脱水し２３℃、４５％ＲＨの環境下で２４時間乾燥させた。
【００７８】
（３）洗浄率の評価方法
前記の洗浄試験で得られた評価繊維製品の洗浄率を下記の方法にて測定し、５枚の平均値を求めた。結果を表１に示す。
汚染前の原布、及び洗浄前後の５５０ｎｍにおける反射率を測色色差計（日本電色株式会社製 Ｚ−３００Ａ）にて測定し、次式によって洗浄率（％）を求めた。なお表１中の値は５枚の洗浄率の平均値である。洗浄率の数値は高い方が、洗浄性が良いことを意味する。洗浄率は、１０％以上が好ましく、２０％以上がより好ましく、３０％以上が更に好ましい。
洗浄率（％）＝１００×［（洗浄後の反射率−洗浄前の反射率）／（原布の反射率−洗浄前の反射率）］
【００７９】
【表１】
2020105423.tif 000002